(57)【要約】【課題】  ＩＣカードが異常停止して引き抜かれようとしたときに、ＩＣカードが使用可能な状態では引き抜けないようにする。【解決手段】  駆動モータにより回転駆動される駆動ローラによってＩＣチップ５を備えたＩＣカード３をカード通路内で搬送させて所定の処理を行うカードリーダにおいて、ＩＣカード３のＩＣチップ５が搬送される位置でカード通路を貫通してＩＣチップ５の裏側から突出可能なニードル６と、このニードル６を突出させる駆動手段とを有する剥離機構を備えると共に、ＩＣカード３がカードリーダ内で異常停止したときには、駆動手段によりニードル６を突出させてＩＣチップ５をＩＣカード３から剥離する。【選択図】        図３
2005182269.tif 000002
【特許請求の範囲】
【請求項１】
駆動モータにより回転駆動される駆動ローラによってＩＣチップを備えたＩＣカードをカード通路内で搬送させて所定の処理を行うカードリーダにおいて、前記ＩＣカードの前記ＩＣチップが搬送される位置で前記カード通路を貫通して前記ＩＣチップの裏側から突出可能なニードルと、このニードルを突出させる駆動手段とを有する剥離機構を備えると共に、前記ＩＣカードが前記カードリーダ内で異常停止したときには、前記駆動手段により前記ニードルを突出させて前記ＩＣチップを前記ＩＣカードから剥離するようにしたことを特徴とするカードリーダ。
【請求項２】
前記駆動手段はモータであることを特徴とする請求項１記載のカードリーダ。
【請求項３】
前記ニードルはカード挿入口の近傍に配置されていることを特徴とする請求項１または２記載のカードリーダ。
【発明の詳細な説明】
【技術分野】
【０００１】
本発明は、カードリーダに関する。さらに詳述すると、本発明は、カードリーダにおけるＩＣカードの詐取行為を防止するための構造に関する。
【背景技術】
【０００２】
従来のカードリーダ１０１では、図４に示すように、カード挿入口に例えばソレノイドで開閉されるシャッタ１０２を設けて、カード１０３以外の異物が挿入されるのを防止すると共にカードリーダ内で詰まったカード１０３が不正に取り出されて盗まれることがないようにして、カードリーダ１０１のセキュリティが図られている。このカードリーダ１０１では、カード１０３がカード挿入口１０４より挿入されると、シャッタ１０２がカード通路から退避して、挿入されたカード１０３をカードリーダ１０１内部に取り込み得るように設けられている。また、カード１０３がシャッタ１０２より中へ入ってしまうと、シャッタ１０２が閉じて、不正行為によってカード１０３が取り出されるのを防いでいる。
【０００３】
ここで、悪意ある者がカードリーダ１０１に不正行為を施し、正規の使用者がカード１０３をカードリーダ１０１に挿入すると内部で滞留されるようにして、そのカード１０３の持ち主がその場を離れた隙にカード１０３を抜き取ってしまう詐取行為が行われることがある。
【０００４】
このような詐取行為を防止するために、カードが装置内部で異常停止したことを検出したときに、熱風ブローなどの手段でカードを変形させて、カードを取り出しても使用不能にするカードリーダが開発されている。また、カードが装置内部で異常停止したことを検出したときに、カードの磁気ストライプ上に尖ったニードルを圧接して磁気ストライプに記録されているデータを破壊するようにするカードリーダが開発されている。
【０００５】
【特許文献１】特開２００１−２２２６８６公報
【発明の開示】
【発明が解決しようとする課題】
【０００６】
しかしながら、上述した熱風ブローなどの手段でカードを変形させるカードリーダでは、不正にカードを引き抜こうとするためにカードが異常停止した場合以外の異常停止のときでもカードを破損させてしまうので好ましくない。
【０００７】
また、磁気ストライプ上に尖ったニードルを圧接するカードリーダでは、対象がＩＣカードの場合にＩＣチップを破壊することができないので、データ破壊の効果を期待できない。
【０００８】
そこで、本発明は、ＩＣカードが異常停止して引き抜かれようとしたときにＩＣカードが使用可能な状態では引き抜けないようにするカードリーダを提供することを目的とする。
【課題を解決するための手段】
【０００９】
かかる目的を達成するため、請求項１記載の発明は、駆動モータにより回転駆動される駆動ローラによってＩＣチップを備えたＩＣカードをカード通路内で搬送させて所定の処理を行うカードリーダにおいて、ＩＣカードのＩＣチップが搬送される位置でカード通路を貫通してＩＣチップの裏側から突出可能なニードルと、このニードルを突出させる駆動手段とを有する剥離機構を備えると共に、ＩＣカードがカードリーダ内で異常停止したときには、駆動手段によりニードルを突出させてＩＣチップをＩＣカードから剥離するようにしている。
【００１０】
したがって、ＩＣカードがカードリーダ内で異常停止したときには、駆動手段によりニードルがＩＣチップの裏側から突出され、ＩＣカードを引き抜こうとするとニードルがＩＣカードにめり込んでＩＣチップが破壊あるいはＩＣカードから剥離される。このため、当該カードを強引に引き抜いてもカードを使用することができない。
【００１１】
また、請求項２記載の発明は、請求項１記載のカードリーダにおいて、駆動手段はモータであるようにしている。したがって、駆動手段の回転速度を調整することによりＩＣカードへのダメージ力を調整することができる。すなわち、回転速度を速くすることによりダメージ力を小さくしたり、あるいは回転速度を遅くすることによりダメージ力を大きくすることができる。さらには、ニードルを弱い力で突出させ、ＩＣカードに突き当たってから押圧力を強めるような制御も可能になる。
【００１２】
そして、請求項３記載の発明は、請求項１または２記載のカードリーダにおいて、ニードルはカード挿入口の近傍に配置されるようにしている。したがって、カードリーダの奥側に取り込まれたＩＣカードが異常停止してニードルがカード通路に突出することにより、カードを引き抜くことができなくなる。
【発明の効果】
【００１３】
以上説明したように、請求項１記載のカードリーダによれば、ＩＣカードがカードリーダ内で異常停止したときには、駆動手段によりニードルがＩＣチップの裏側から突出され、ＩＣカードを引き抜こうとするとニードルがＩＣカードにめり込んでＩＣチップが破壊あるいはＩＣカードから剥離される。このため、当該カードを強引に引き抜いてもカードを使用することができないので、カードの悪用を防止することができる。
【００１４】
また、ニードルがＩＣチップの裏側に当たらないときにＩＣカードを引き抜こうとしなければＩＣカードを傷めることがないので、悪意者が不正にＩＣカードを引き抜こうとする目的でＩＣカードを異常停止させた場合以外の異常停止のときにＩＣカードを破損させてしまうことを防止できる。
【００１５】
また、請求項２記載のカードリーダによれば、駆動手段の回転速度を調整することによりＩＣカードへのダメージ力を調整することができる。すなわち、回転速度を速くすることによりダメージ力を小さくしたり、あるいは回転速度を遅くすることによりダメージ力を大きくすることができる。さらには、ニードルを弱い力で突出させ、ＩＣカードに突き当たってから押圧力を強めるような制御も可能になる。よって、カードリーダごとに所望の制御を行うことができるようになる。
【００１６】
また、請求項３記載のカードリーダによれば、カードリーダの奥側に取り込まれたＩＣカードが異常停止してニードルがカード通路に突出することにより、カードを引き抜くことができなくなる。よって、ＩＣカードを破壊することなく不正な引き抜きを防止できる。また、ＩＣカード以外のカードであっても、カードの不正な引き抜きを防止できるようになる。
【発明を実施するための最良の形態】
【００１７】
以下、本発明の構成を図面に示す最良の形態に基づいて詳細に説明する。
【００１８】
図１〜図３に、本発明のカードリーダ１の実施形態の一例を示す。このカードリーダ１は、駆動モータにより回転駆動される駆動ローラ２３によってＩＣチップ５を備えたＩＣカード３をカード通路２０内で搬送させて所定の処理を行うものである。このカードリーダ１は、ＩＣカード３のＩＣチップ５が搬送される位置でカード通路２０を貫通してＩＣチップ５の裏側から突出可能なニードル６と、このニードル６を突出させる駆動手段７とを有する剥離機構８を備えるようにしている。そして、ＩＣカード３がカードリーダ１内で異常停止したときには、駆動手段７によりニードル６を突出させてＩＣチップ５をＩＣカード３から剥離するようにしている。
【００１９】
駆動手段７はモータであるようにしている。このため、駆動手段７の回転速度を調整することによりＩＣカード３へのダメージ力を調整することができる。すなわち、回転速度を速くすることによりダメージ力を小さくしたり、あるいは回転速度を遅くすることによりダメージ力を大きくすることができる。
【００２０】
ニードル６はカード挿入口２の近傍に配置されるようにしている。ニードル６の先端は尖った形状としている。ニードル６の材質及び形状は特に限定されることはないが、ＩＣカード３からＩＣチップ５を剥離するために、硬度及び強度の高い金属材料で先端が鋭く尖っているものが望ましい。また、ニードル６は、カード搬送方向Ａに対して垂直に出没可能なようにカードリーダ１のフレームに取り付けられている。
【００２１】
ニードル６がＩＣチップ５の裏側に圧接又は突き刺さることで、図３に示すようにＩＣチップ５の埋め込まれたＩＣカード３の薄い部分３ａを変形させてＩＣチップ５を剥離することができる。あるいは、ニードル６がＩＣカード３に圧接又は突き刺さることで、ＩＣカード３を強引に引き抜けないようにもできる。
【００２２】
また、このカードリーダ１は、カード挿入口２にカードリーダ１内部へのＩＣカード３の取り込みを許容する開閉自在のシャッタ４を備えている。
【００２３】
駆動手段７とニードル６との間には伝達機構９が設けられている。伝達機構９は、駆動手段７の回転軸１０に設けられたピニオン１１と、該ピニオン１１に噛み合う大歯車部１２ａおよび小歯車部１２ｂを有する第１ギア１２と、該第１ギア１２の小歯車部１２ｂに噛み合う大歯車部１３ａおよび小歯車部１３ｂを有する第２ギア１３と、該第２ギア１３の小歯車部１３ｂに噛み合う外歯部と雌ねじ状の内歯部とを有する第３ギア１４と、該第３ギア１４の内歯部に噛み合って移動可能なリードスクリュー１５と、該リードスクリュー１５とニードル６とを連結すると共に一部が支持軸１６を介してフレーム１７に固定されて揺動可能なアーム１８とを備えている。駆動手段７が回転することにより、ピニオン１１→第１ギア１２→第２ギア１３→第３ギア１４→リードスクリュー１５→アーム１８を順に経てニードル６が突出される。
【００２４】
また、カードリーダ１にはＩＣカード３の異常停止を検出する異常停止検出手段２１が備えられている。かかる異常停止検出手段２１として、例えば、カード通路２０でのＩＣカード３の存在を検出する複数のカード検出センサを利用することができる。本実施形態では、第１のカード検出センサ２１ａをニードル６の手前位置に、第２のカード検出センサ２１ｂを第１のカード検出センサ２１ａよりカード搬送方向奥側でシャッタ４からＩＣカード３の長さの範囲内に、第３のカード検出センサ２１ｃを第２のカード検出センサ２１ｂよりカード搬送方向奥側でシャッタ４からＩＣカード３の長さ以上離れた位置に、各々配置している。
【００２５】
このようにカード検出センサ２１が配置される場合、正常な場合であれば、ＩＣカード３の搬送に伴って、カード検出センサ２１ａ，２１ｂ，２１ｃがＩＣカード３を順次検出する。しかし、第１のカード検出センサ２１ａがＩＣカード３を検出したが、その検出後から所定時間以上経過しても、第２のカード検出センサ２１ｂではＩＣカード３を検出できない場合や、第１及び第２のカード検出センサ２１ａ，２１ｂがＩＣカード３を検出したが、その検出後から所定時間以上経過しても、第３のカード検出センサ２１ｃではＩＣカード３を検出できない場合には、ＩＣカード３が異常停止したと考えられる。したがって、カード検出センサ２１ａ，２１ｂ，２１ｃを使用してＩＣカード３の異常停止を検出することができる。なお、設置するカード検出センサ２１の数や位置は上述のものに限定されるものではないことはもちろんである。
【００２６】
また、シャッタ４には、シャッタ４の開位置を検知する検知センサ２２が接続されている。カード検出センサ２１によりＩＣカード３の異常停止が検出されても、シャッタ４が閉じた状態であれば、ＩＣカード３の詐取を意図する不正者はＩＣカード３を取り出せない。しかし、シャッタ４が開いている状態であれば、不正者がＩＣカード３を取り出すことが可能となる。そこで、カード検出センサ２１によりＩＣカード３の異常停止が検出された場合であって、かつ検知センサ２２によってシャッタ４が開いたままの状態であることが検知されたときに、剥離機構８を作動させてＩＣカード３の不正な取り出しを阻止する。
【００２７】
以上のように構成されたカードリーダ１によれば、次のようにしてＩＣカード３の不正略取を防ぎ得る。
【００２８】
ＩＣカード３がカード挿入口２に挿入されると、シャッタ４が開かれ、駆動ローラ２３が回転して、ＩＣカード３がカードリーダ１内部に取り込まれる。ここで、カード検出センサ２１ａ，２１ｂ，２１ｃが順次、カード通路２０内にカードが存在していることを検出できれば、正常と判断されて剥離機構８は作動しない。そして、ＩＣカード３が所定位置まで取り込まれると、シャッタ４が閉じられ、ＩＣカード３に対して所定の処理が行なわれる。
【００２９】
一方、カード検出センサ２１によりＩＣカード３の異常停止が検出され、しかも検知センサ２２によってシャッタ４が開いたままの状態であることが検知された場合には、剥離機構８を作動させて、ＩＣカード３の不正な取り出しを阻止する。即ち、剥離機構８の駆動手段７が駆動され、伝達機構９を経てニードル６をカード通路２０に突出させる。そして、ニードル６がＩＣカード３の裏側から押し上げてＩＣチップ５を剥離する。
【００３０】
このとき、ニードル６がＩＣチップ５の裏側に当たらなかったとしても、ニードル６がＩＣカード３のＩＣチップ５よりもカード挿入口２側に当たることにより、ＩＣカード３を引き抜こうとするとニードル６がＩＣチップ５の真裏に来たときにＩＣチップ５が剥離する。押し出されたＩＣチップ５は、図３に示すようにカード挿入口２付近に設けられたゲート１９に引っ掛かって確実に剥離されてカードリーダ１の内部に残される。よって、ＩＣカード３の台紙部分は引き抜かれたとしてもＩＣチップ５は引き出されないのでデータの悪用を回避することができる。
【００３１】
また、ＩＣカード３がニードル６よりも奥側に位置する場合は、ニードル６がカード通路２０を塞ぐのでＩＣカード３を抜き取ることはできない。よって、ＩＣカード３の使用者が係員を呼びに行くためカードリーダ１から離れたとしても、引き抜いたＩＣカード３はＩＣチップ５が剥離されていたり、あるいはＩＣカード３をカードリーダ１から引き抜く事ができなかったりするので、不正者によるＩＣカード３の略取を防止することができる。
【００３２】
ニードル６を突出位置から退避位置に戻すには、駆動手段７を逆転させれば良い。
【００３３】
なお、上述の形態は本発明の好適な形態の一例ではあるがこれに限定されるものではなく本発明の要旨を逸脱しない範囲において種々変形実施可能である。例えば、本実施形態ではニードル６の先端形状は尖ったものとしているが、これには限られず平坦な形状であっても良い。この場合も、ＩＣチップ５を裏側から押し上げることによりＩＣチップ５を剥離することができると共に、ＩＣカード３に突き刺さらないのでＩＣカード３へのダメージを小さくすることができる。
【００３４】
また、上述した実施形態では駆動手段７をモータとしているが、これには限られずソレノイドを使用しても良い。さらに、上述した実施形態では駆動手段７を専用の部材としているが、これには限られずカードリーダ１で使用されている他のアクチュエータを共通に使用する事も可能である。例えば、異常発生時の切換え機構を設けて、ＩＣ接点用ソレノイド、シャッタ用ソレノイド、搬送用モータ等のいずれかを駆動源として利用しても良い。
【００３５】
そして、上述した実施形態ではニードル６をカード挿入口２の近傍に配置しているが、これには限られずカードリーダ１の奥側に配置しても良い。
【００３６】
さらに、上述した実施形態ではＩＣカード３が異常停止したことのみを検出して剥離機構８を作動させているが、これには限られずＩＣカード３の異常停止を検出した上でカード検出センサ２１を利用して制御とは異なるＩＣカード３の動きを検知してからニードル６を動作させるようにしても良い。
【図面の簡単な説明】
【００３７】
【図１】本発明のカードリーダの概略を示す側面図である。
【図２】ニードルがＩＣチップを押し上げる前の状態を示す拡大側面図である。
【図３】ニードルがＩＣチップを押し上げた後の状態を示す拡大側面図である。
【図４】従来のカードリーダの概略を示す側面図である。
【符号の説明】
【００３８】
１  カードリーダ
２  カード挿入口
３  ＩＣカード
５  ＩＣチップ
６  ニードル
７  駆動手段
８  剥離機構
２０  カード通路
２３  駆動ローラ
【図１】
2005182269.tif 000003
【図２】
2005182269.tif 000004
【図３】
2005182269.tif 000005
【図４】
2005182269.tif 000006